(57)【特許請求の範囲】
【請求項１】
複数段の棚板(１)から成る棚であって、正面縁を袋折した棚板(１)の両側に延設した前細り三角形状の側片(２)を折上げ、側片(２)を折上げた棚板(１)とコの字に折曲げられた外枠(３)の側壁(４)とを固定し、棚板(１)の背縁に延設した上げ背片(６)と下げ背板(７)とを上下に開いて折曲げ、上段の棚板(１)から垂らされた下げ背板(７)の下部背面に下段の棚板(１)から折り起こされた上げ背板(６)を重ねる事で棚板(１)の背部を連結固定した事を特徴とする側片折上げ棚。
【請求項２】
側片(２)を折上げた棚板(１)とコの字に折曲げられた外枠(３)の側壁(４)との固定構造として、折上げられた側片(２)と側壁(３)とを固定具(５)で貫通させて固定した事を特徴とする、請求項(１)記載の三角側片折上げ棚。
【発明の詳細な説明】
【０００１】
【発明の属する技術分野】
本発明は、商品を陳列販売する箱型陳列棚に関する。
【０００２】
【従来の技術】
従来の箱型陳列棚は、棚板の両側に延設した矩形の側片と背縁に延設した矩形の背片とを折下げ、側片は正面縁を袋折して二重に成った側壁の側内板に切り込まれた側溝に上から差し込んで固定し、背片は天縁を袋折して二重に成った背壁の背内板に切り込まれた背溝に上から差し込んで固定する構造の物であり、棚板の周囲に帯状の枠を貼り付けた物などであった。
【０００３】
【発明が解決しようとする課題】
従来の物は、内板に切り込まれた溝に差し込んで固定する構造である事から、側壁背壁共に二重構造にしなければならず、側片を折下げている事から、棚板が側壁より正面に突き出た棚板構造では、突き出た棚板の両側に枠が無いので、両側に零れ落ち易い構造であり、又、棚板の周囲に枠を貼りつけた枠形状は、同じ高さの帯形状である事から、前記の枠によって、陳列商品の下部を均等に覆い隠す物であった。本発明では、従来技術の問題解決をする為、側壁背壁共に二重構造にしなくて済み、棚板の両側から陳列商品が零れ落ちず、正面方向から見た状態で陳列商品を目立たせる事のできる箱型陳列棚の提供を目的とする。
【０００４】
【課題を解決するための手段】
棚板の両側に前細り三角形状の側片を延設して折上げ、折上げられた側片とコの字に折曲げられた外枠の側壁とを固定具によって固定し、側片が前細りの三角形状である事から、陳列商品は棚板の両側から零れ落ちず、側片は正面方向ほど低くなっているので、正面方向の陳列商品の露出面積は広くなり、正面方向から商品を目立たせる事ができる。
【０００５】
【発明の実施の形態】
本発明は、腰のある厚紙或いは両面段ボール紙を素材に用いて製造し、上下左右正面背面などの位置関係は、組立完了状態の正面からを基準にし、山折谷折で記述する折曲げ方向は外側からを基準にし、隠れた部分の透視は破線で表示し、折線部分は一点鎖線で表示する。組立完了状態要部透視右上正面斜視図の図１に於いて、正面縁を額縁折（袋折の一種で、厚みのあるシートを袋折する場合、余裕を加えたシートの厚み分間隔を開けた二本の平行な折線で袋折する折曲げ構造）した棚板１の両側に延設した三角形状の側片２を折上げ、側片２は背底角が直角の三角形状である事が望ましいのであって、側片２の正面角は額縁折の幅分垂直に切り取られており、背壁８の両側に延設した側壁４を正面に折出してコの字形状を成した外枠３を形成し、外枠３の側壁３の正面縁と天縁は額縁折して切れ端を隠す事が望ましく、側壁４の内側に折上げられた側片２の外面を沿わせ、側片２と側壁４とを直径五ｍｍ程度の穴で貫通させ、前記貫通穴に固定具５を差し込んで固定する事が望ましく、固定具５は割りピンであっても良いが、プラスチックネジを用いる事が望ましく、側片２の取り付けは固定具５の差込によって行う他、棚板１の両側から凸縁を突出させて側壁に嵌め込んでも良く、側片２の外面を側壁４の内面に接着しても良く、棚板１の正面半分（必ずしも半分に限らなく、多少は前後する）は側壁４より突出し、前記の突出領域を突出域９とし、棚板１の正面縁は額縁折されて二重構造に成っており、二重に成った上方の板を上面板１０とし下方の板を下面板１１とし、棚板１の背縁に延設した上げ背片６と下げ背板７とを上下に開いて折曲げるのであって、前記上下開き折曲げ構造を詳細に述べるならば、上面板１０の背縁に谷折線を介して延設した上げ背片６を直角に折上げ、下面板１１の背縁に谷折線を介して延設した下げ背板７を直角に折下げ、棚板１は単数であっても良いが、縦に複数設置する事が望ましく、上隣の棚板１の背縁から垂らされた下げ背板７の下部背面に、下隣の棚板１の背縁から折起された上げ背片６を沿わせ、下げ背板７の下部背面に上げ背片６を沿わせて行う連結構造を繰り返すことで棚板１の背部は連結固定され、棚板１を上下に繋ぐ仕切板１２を取り付けても良く、仕切板１２は商品を左右に区分する他、棚板１の補強の役目も果たし、背壁８の最上部縁を額縁折して正面に天折返し板１３を折返す事が望ましく、最上部の上げ背片６を天折返し板１３の下部背面に沿わせ、背壁８の天額縁折領域に差込溝１４を開けてＰＲ板１５を差し込んでも良い。
【０００６】
棚部組立過程右上正面斜視図の図２に於いて、棚板１及び棚板１の周囲に延設した箇所を総称して棚部１６とし、棚板１正面の額縁折された面を介して上に延設された上面板１０の背縁に谷折線を介して延設された横に細長い矩形の上げ背片６を折上げ、棚板１正面の額縁折された面を介して下に延設された下面板１１の背縁に谷折線を介して延設した横長矩形の下げ背板７を折下げ、下面板１１の両側に山折線を介して延設した直角三角形状の外側片１７の先縁に額縁山折線を介して同じ直角三角形状の内側片１８を延設し、内側片１８を外側片１７の内面に沿わせて形成した側片２を直径五ｍｍ程度の真円で貫通して貫通穴１９を打ち抜く。
【０００７】
棚部連結状態要部透視右上正面斜視図の図３に於いて、棚板１の両側に延設されて折起された側片２は、貫通穴１９に図１で示した固定具５であるプラスチックネジを差し込んで固定され、貫通穴１９を開ける箇所は、側片１の中央よりやや背方へずれた箇所に設け、貫通穴１９だけの固定では前後に傾き易く不安定であるが、上段の棚板１から垂らされた下げ背板７の下部背面に、下段の棚板１から折起された上げ背片６を重ねる事で、棚板１の背部は連結固定されるので前後へ傾く恐れは無くなり、側片２は棚板１の側部を補強して支える他、陳列商品が棚板１の両側から零れ落ちるのを防止し、側片２は三角形状である事から正面へ向かうに連れて低くなっており、側片２が正面へ向かうに連れて低くなるに連れて陳列商品の露出面積は広くなってよく目立つようになり、側片２の上傾斜縁は額縁折されているので切れ端が隠されており、見た目にもスッキリしている。
【０００８】
棚部右上背面斜視図の図４に於いて、下面板１１の両側に延設した外側片１７を直角に折起し、外側片１７の天縁を額縁折して内側片１８を内側に沿わせて側片２を形成し、下面板１１の背縁に延設した下げ背板７を直角に折下げ、上面板１０の背縁に延設した上げ背片６を直角に折上げ、棚板１は上面板１０と下面板１１との二重構造だけであっても良いが、強度を上げるために、上面板１０と下面板１１との間に、厚みのある段ボール製の補強板を挟み込む事が望ましい。
【０００９】
棚部を外面から示した展開平面図の図５に於いて、図５のみでの天地左右前後などの位置関係は図示状態を基準にして表示し、上面板１０の天縁に谷折線を介して横に細長い矩形の上げ背片６を延設し、上面板１０の下縁に額縁山折線を介して延設した下面板１１の両側に山折線を介して延設した直角（実際には直角よりもやや鋭角である事が望ましい）三角形状の外側片１７の先縁に、額縁山折線を介して内側片１８を延設し、下面板１１の下縁に谷折線を介して横長矩形の下げ背板７を延設する。
【００１０】
【発明の効果】
側片２が正面細りの三角形状である事から、陳列商品が棚板の両側から零れるのを防止する他、陳列商品の露出面積が正面に行くほど広くなって目立たせる事ができ、側片２を折上げて側壁４の内側に沿わせ、固定具５であるプラスチックネジを貫通させて固定し、上段の棚板１から垂らされた下げ背板７の下部背部に下段の背板１から折上げた上げ背片６を重ねて連結した事で、側壁４と背壁８とを二重構造にしなくても棚板１を取り付ける事ができ、プラスチックネジを貫通させて固定する構造である事から、平たく折畳まれた状態で輸送されてきた本発明物を使用現場で組み立てる事ができる。
【図面の簡単な説明】
【図１】組立完了状態要部透視右上正面斜視図
【図２】棚部組立過程右上正面斜視図
【図３】棚部連結状態要部透視右上正面斜視図
【図４】棚部右上背面斜視図
【図５】棚部を外面から示した展開平面図
【符号の説明】
１  棚板
２  側片
３  外枠
４  側壁
５  固定具
６  上げ背片
７  下げ背板
【図１】
0004416214.tif 000002
【図２】
0004416214.tif 000003
【図３】
0004416214.tif 000004
【図４】
0004416214.tif 000005
【図５】
0004416214.tif 000006